(57)【要約】【課題】駆動手段により可動部材を駆動させる場合にラック部とピニオン部との歯車の噛み合いが解除される不具合を抑制することができる遊技機を提供する。【解決手段】移動可能な可動部材１１０と前記可動部材１１０を移動させる駆動手段１３０と、前記駆動手段１３０を支持する支持部材１４０とを備え、前記可動部材１１０は遊技盤３の盤面に対して平行なラック部１２０を有し、前記駆動手段１３０は、駆動源１３１と、前記駆動源１３１により回転動作を行い前記ラック部１２０と噛合するピニオン部１３５とを有するとともに、前記支持部材１４０には前記ラック部１２０の前記遊技盤３面と直交する方向への移動を規制する規制部材１５０が設けられていることを特徴とする。【選択図】図６
2014018281.tif 000002
【特許請求の範囲】
【請求項１】
移動可能な可動部材と、前記可動部材を移動させる駆動手段と、前記駆動手段を支持する支持部材とを備えた遊技機において、
前記可動部材は遊技盤の盤面に対して平行なラック部を有し、
前記駆動手段は、駆動源と、前記駆動源により回転動作を行い前記ラック部と噛合するピニオン部とを有するとともに、
前記支持部材には前記ラック部の前記遊技盤面と直交する方向への移動を規制する規制部材が設けられていることを特徴とする遊技機。
【請求項２】
前記規制部材は前記ラック部の前面側への移動を規制する前面規制部材と後面側への移動を規制する後面規制部材とを有することを特徴とする請求項１に記載の遊技機。
【請求項３】
前記ラック部の前面または後面の少なくとも一方に前記ラック部の移動方向に沿って凹溝部が設けられ、前記凹溝部側の前記前面規制部材または後面規制部材が前記凹溝部内に入り込む突部を有することを特徴とする請求項２に記載の遊技機。
【請求項４】
前記ラック部の前面または後面のいずれか一方は前記ラック部の移動方向に沿って凹溝部が設けられるとともに、他方は前記凹溝部が設けられない平面に形成され、
前記凹溝部側の前記前面規制部材または後面規制部材は前記凹溝部内に入り込む突部を有する側面視Ｌ字状に形成されているとともに、前記凹溝部が形成されない他方側の前記前面規制部材または後面規制部材は前記ラック部の平面に向かって突出した側面視Ｉ字状に形成されていることを特徴とする請求項３に記載の遊技機。
【請求項５】
前記可動部材は互いに接近または離隔する方向に移動可能に複数備え、
前記複数の可動部材が互いに接近方向に移動した際に前記各ラック部が移動方向と直交する方向に重なるように構成したことを特徴とする請求項１ないし４のいずれか１項に記載の遊技機。
【請求項６】
前記規制部材は前記複数の可動部材の各ラック部のそれぞれに対応して設けられ、
前記各規制部材は、前記複数の可動部材が互いに接近方向に移動した際にそれぞれ対応する前記ラック部と異なる他のラック部に接触しないように配置され、
前記各ラック部は、それぞれ対応する前記規制部材により常に前記遊技盤面と直交する方向への移動が規制された状態で互いに接近または離隔する方向に移動可能とされていることを特徴とする請求項５に記載の遊技機。
【請求項７】
前記支持部材は、前記ピニオン部の前記遊技盤面と直交する方向への移動を規制する前面支持部材と、後面支持部材とから構成され、
前記前面規制部材は前記前面支持部材に形成されるとともに、前記後面規制部材は前記後面支持部材に形成されたことを特徴とする請求項１ないし６のいずれか１項に記載の遊技機。
【発明の詳細な説明】
【技術分野】
【０００１】
この発明は、パチンコ遊技機等の遊技機に関する。
【背景技術】
【０００２】
一般に、パチンコ遊技機等の遊技機では、図柄表示装置において当否判定図柄やキャラクタ等の各種演出図柄等を適宜の態様で表示したり、大当たり等の遊技態様に応じて各種ランプ表示器等の発光体を点滅表示させたり、遊技盤上に設けられた風車や各入賞口等の各種役物を適宜の駆動手段を用いて駆動させたりする等、遊技実行中に遊技者の興趣を高める等のために様々な演出が行われる。
【０００３】
従来の遊技機では、遊技の演出を実行するための可動部材（駆動役物）を駆動させる駆動手段として、ラックアンドピニオン等のギヤを用いた機構が使用される。例えば、可動部材（駆動役物）として表示装置の前面側をスライド式に開閉する扉状の役物を設けた場合、可動部材にラック部が設けられるとともに、モータ等の駆動源により回転動作してラック部と噛合するピニオン部が設けられる（特許文献１参照。）。
【０００４】
しかしながら、上記駆動役物は、駆動源を動作させることによりラック部とピニオン部の歯車同士が噛み合って可動部材を駆動させるものであるため、外部からの衝撃や不具合等により歯車の噛み合いが解除されて駆動役物を正常に駆動させることができなくなるおそれがある。特に、扉状の可動部材のように大がかりな駆動役物である場合、ラック部が長くなって移動時にがたつきやすくなり、歯車の噛み合い解除が発生しやすくなる問題があった。
【先行技術文献】
【特許文献】
【０００５】
【特許文献１】特開２００７−６１４８８号公報
【発明の概要】
【発明が解決しようとする課題】
【０００６】
本発明は前記の点に鑑みなされたものであり、駆動手段により可動部材を駆動させる場合にラック部とピニオン部との歯車の噛み合いが解除される不具合を抑制することができる遊技機を提供するものである。
【課題を解決するための手段】
【０００７】
すなわち、請求項１の発明は、移動可能な可動部材と、前記可動部材を移動させる駆動手段と、前記駆動手段を支持する支持部材とを備えた遊技機において、前記可動部材は遊技盤の盤面に対して平行なラック部を有し、前記駆動手段は、駆動源と、前記駆動源により回転動作を行い前記ラック部と噛合するピニオン部とを有するとともに、前記支持部材には前記ラック部の前記遊技盤面と直交する方向への移動を規制する規制部材が設けられていることを特徴とする遊技機に係る。
【０００８】
請求項２の発明は、前記規制部材は前記ラック部の前面側への移動を規制する前面規制部材と後面側への移動を規制する後面規制部材とを有することを特徴とする請求項１に記載の遊技機に係る。
【０００９】
請求項３の発明は、前記ラック部の前面または後面の少なくとも一方に前記ラック部の移動方向に沿って凹溝部が設けられ、前記凹溝部側の前記前面規制部材または後面規制部材が前記凹溝部内に入り込む突部を有することを特徴とする請求項２に記載の遊技機に係る。
【００１０】
請求項４の発明は、前記ラック部の前面または後面のいずれか一方は前記ラック部の移動方向に沿って凹溝部が設けられるとともに、他方は前記凹溝部が設けられない平面に形成され、前記凹溝部側の前記前面規制部材または後面規制部材は前記凹溝部内に入り込む突部を有する側面視Ｌ字状に形成されているとともに、前記凹溝部が形成されない他方側の前記前面規制部材または後面規制部材は前記ラック部の平面に向かって突出した側面視Ｉ字状に形成されていることを特徴とする請求項３に記載の遊技機に係る。
【００１１】
請求項５の発明は、前記可動部材は互いに接近または離隔する方向に移動可能に複数備え、前記複数の可動部材が互いに接近方向に移動した際に前記各ラック部が移動方向と直交する方向に重なるように構成したことを特徴とする請求項１ないし４のいずれか１項に記載の遊技機に係る。
【００１２】
請求項６の発明は、前記規制部材は前記複数の可動部材の各ラック部のそれぞれに対応して設けられ、前記各規制部材は、前記複数の可動部材が互いに接近方向に移動した際にそれぞれ対応する前記ラック部と異なる他のラック部に接触しないように配置され、前記各ラック部は、それぞれ対応する前記規制部材により常に前記遊技盤面と直交する方向への移動が規制された状態で互いに接近または離隔する方向に移動可能とされていることを特徴とする請求項５に記載の遊技機に係る。
【００１３】
請求項７の発明は、前記支持部材は、前記ピニオン部の前記遊技盤面と直交する方向への移動を規制する前面支持部材と、後面支持部材とから構成され、前記前面規制部材は前記前面支持部材に形成されるとともに、前記後面規制部材は前記後面支持部材に形成されたことを特徴とする請求項１ないし６のいずれか１項に記載の遊技機に係る。
【発明の効果】
【００１４】
請求項１の発明に係る遊技機は、移動可能な可動部材と、前記可動部材を移動させる駆動手段と、前記駆動手段を支持する支持部材とを備えた遊技機において、前記可動部材は遊技盤の盤面に対して平行なラック部を有し、前記駆動手段は、駆動源と、前記駆動源により回転動作を行い前記ラック部と噛合するピニオン部とを有するとともに、前記支持部材には前記ラック部の前記遊技盤面と直交する方向への移動を規制する規制部材が設けられているため、駆動手段により可動部材を駆動させた場合にラック部とピニオン部との歯車の噛み合いが解除される不具合を抑制することができる。
【００１５】
請求項２の発明は、請求項１において、前記規制部材は前記ラック部の前面側への移動を規制する前面規制部材と後面側への移動を規制する後面規制部材とを有するため、ラック部の遊技盤面に対する前方側への移動と後方側への移動のいずれも効果的に規制することができる。
【００１６】
請求項３の発明は、請求項２において、前記ラック部の前面または後面の少なくとも一方に前記ラック部の移動方向に沿って凹溝部が設けられ、前記凹溝部側の前記前面規制部材または後面規制部材が前記凹溝部内に入り込む突部を有するため、ラック部の上下方向の移動を規制することが可能となる。
【００１７】
請求項４の発明は、請求項３において、前記ラック部の前面または後面のいずれか一方は前記ラック部の移動方向に沿って凹溝部が設けられるとともに、他方は前記凹溝部が設けられない平面に形成され、前記凹溝部側の前記前面規制部材または後面規制部材は前記凹溝部内に入り込む突部を有する側面視Ｌ字状に形成されているとともに、前記凹溝部が形成されない他方側の前記前面規制部材または後面規制部材は前記ラック部の平面に向かって突出した側面視Ｉ字状に形成されているため、極めて簡易な構成でラック部の前後及び上下方向の移動を効果的に規制することが可能となるとともに、凹溝部内に入り込む突部を有する側面視Ｌ字状に形成されている前面規制部材または後面規制部材によってラック部の移動を２点で規制できるため、より効果的にラック部の前後方向への移動を規制することが可能となる。
【００１８】
請求項５の発明は、請求項１ないし４において、前記可動部材は互いに接近または離隔する方向に移動可能に複数備え、前記複数の可動部材が互いに接近方向に移動した際に前記各ラック部が移動方向と直交する方向に重なるように構成したため、各ラック部が接近方向に移動した際に互いに干渉することがない。
【００１９】
請求項６の発明は、請求項５において、前記規制部材は前記複数の可動部材の各ラック部のそれぞれに対応して設けられ、前記各規制部材は、前記複数の可動部材が互いに接近方向に移動した際にそれぞれ対応する前記ラック部と異なる他のラック部に接触しないように配置され、前記各ラック部は、それぞれ対応する前記規制部材により常に前記遊技盤面と直交する方向への移動が規制された状態で互いに接近または離隔する方向に移動可能とされているため、各ラック部を対応する規制部材によって常時規制することができるとともに、各ラック部と対応していない他の規制部材との干渉を防止することができる。
【００２０】
請求項７の発明は、請求項１ないし６において、前記支持部材は、前記ピニオン部の前記遊技盤面と直交する方向への移動を規制する前面支持部材と、後面支持部材とから構成され、前記前面規制部材は前記前面支持部材に形成されるとともに、前記後面規制部材は前記後面支持部材に形成されたため、支持部材のみでラック部とピニオン部の双方を規制することが可能となり、構成の簡素化を図ることができる。
【図面の簡単な説明】
【００２１】
【図１】本発明の一実施例に係る遊技機の正面図である。
【図２】遊技盤の正面図である。
【図３】遊技台に取り付けられた可動役物の可動部材が開状態の斜視図である。
【図４】遊技台に取り付けられた可動役物の可動部材が閉状態の斜視図である。
【図５】可動役物の斜視図である。
【図６】可動役物の前側の分解斜視図である。
【図７】可動役物の裏側の分解斜視図である。
【図８】ラック部と規制部材との位置関係を模式的に表した横断面図である。
【図９】ラック部とピニオン部と規制部材との位置関係を模式的に表した正面図である。
【図１０】ラック部とピニオン部と規制部材との位置関係を模式的に表した縦断面図である。
【発明を実施するための形態】
【００２２】
図１，２に示す実施例の遊技機１は、この発明の一実施形態に係るパチンコ遊技機（弾球遊技機）である。遊技機１では、遊技台（遊技枠体）２の内側に遊技盤３が着脱交換可能に収容されており、その遊技盤３に遊技球（遊技媒体）の内側ガイドレール４及び外側ガイドレール５が略円形に立設され、前記内側ガイドレール４によって囲まれて遊技球が流下可能な遊技領域６に、遊技球の入賞可能な入賞領域である入賞口等の役物が設けられている。図において、符号７は遊技盤３に備えられた釘である。
【００２３】
まず、遊技領域６の中心線上に設けられた表示装置９の下方に、普通電動役物である始動入賞口１０が配設され、始動入賞口１０の下方には特別電動役物である遊技特典付与装置として大入賞装置（大入賞口とも称される。）１５、その下方にはアウト口１７が配設されている。また、表示装置９の両側には普通図柄変動開始用左ゲート１９，２１、その下方に風車２２，２２が設けられており、その下方に袖入賞口２３，２５が配設され、さらには前記大入賞装置１５の左側に落とし入賞口２７，２９が配設されている。この実施例において、始動入賞口１０は、遊技領域６を流下する遊技球を受け入れ可能とすると共に、その入球（入賞）に起因して特別遊技状態（大当たり状態）に移行するか否かの判定を開始するための入球口に相当する。
【００２４】
また、遊技機１の前面側には、遊技状態を報知する枠飾りランプ３５，３６、払い出された遊技球を受けるための上側球受け皿３２、上側球受け皿３２の飽和時に遊技球を受けるための下側球受け皿３４、音声や効果音を発して遊技状態を遊技者に報知するスピーカ３７、遊技者の遊技操作によって適宜の演出等を操作可能な操作手段６０、遊技者による操作ハンドルＨ１（操作手段）の発射操作に応じて遊技球を遊技領域６に向けて弾発発射する発射装置Ｈ等がそれぞれ組み付けられている。
【００２５】
図中の表示装置９（図柄表示手段、判定結果報知手段等を兼ねる。）において、符号４３は数字，アルファベット，記号あるいは絵（キャラクタ）等の図柄を変動表示及び停止表示（最終的に確定表示する前の仮停止表示を含む、以下同じ）可能な図柄表示装置、４９はセンター飾りを有する表示装置９の窓枠部、５０は図柄表示装置４３の液晶表示器（ＴＦＴ−ＬＣＤモジュール）等からなる表示領域である。また、表示領域５０は、特別図柄の変動中に、該特別図柄に加えて背景（建物、風景等）、キャラクタ（人物、動物、植物、物等）、文字等の装飾図柄を表示し、該装飾図柄は前記特別図柄の変動開始等の所定始動条件に起因して変動表示可能となっている。図柄表示装置４３については、表示領域５０が前記したように液晶表示器に限られるものではなく、有機ＥＬ、ＣＲＴ、その他の表示手段で構成されていてもよい。
【００２６】
この実施例の表示領域５０は、横に並ぶ左特別図柄表示部、中特別図柄表示部、右特別図柄表示部で構成される図柄表示部を有し、それぞれの図柄表示部で判定図柄（当否判定情報）である特別図柄が変動表示及び停止表示される。加えて、表示領域５０には普通図柄表示部（図示せず）が設けられており、普通図柄が変動表示及び停止表示可能とされている。また、表示領域５０には、特別図柄等に加えて背景画像（キャラクタ，背景，文字等を含む。）が表示されることもあり、背景画像が特別図柄の変動開始等の所定条件に起因して変動表示可能となっている場合もある。なお、この実施例において表示領域５０に表示される左、中、右特別図柄は、各々『０，１，２，３，４，５，６，７，８，９，１０，１１』の１２通りの数字からなる図柄である。なお、図示しないが、表示領域５０は、特別図柄保留記憶数表示部、普通図柄表示部、普通図柄変動数記憶領域を有する。
【００２７】
遊技盤３の背面（裏面）には、入賞口への遊技球の入賞を検出する入賞口用検出スイッチ（遊技球検出手段に相当する。）等が設けられている。この実施例では、検出スイッチが各入賞口に対してそれぞれ設けられている。始動入賞口１０に入賞（入球口に入球）した遊技球を検出する特別図柄変動開始スイッチは入賞球の通路に設けられており、入賞球の検出によって図柄表示装置４３の図柄変動は開始される。その際、特別図柄変動中に始動入賞口１０に入賞した遊技球の個数、すなわち特別図柄の変動を開始する回数については、現在変動中のものを除いて保留回数（この例では最高４回）を特別図柄保留記憶数表示部に表示し、記憶数の減少によって前記表示部内の特別図柄保留記憶数の表示個数を減らす。その他、袖入賞口２３，２５及び落とし入賞口２７，２９の入賞球を検出する各袖入賞口用検出スイッチが、それぞれ対応する遊技盤３背面に設けられている。
【００２８】
前述のとおり、始動入賞口１０に入賞した遊技球を検出する特別図柄変動開始スイッチ（始動入賞口センサ）が入賞球用通路に設けられており、前記特別図柄変動開始スイッチによって入賞球が検出（図柄変動条件の契機）されると、図柄表示装置４３における表示領域５０の左，中，右特別図柄表示部で各特別図柄が変動を開始し、所定時間変動後、予め設定された順で特別図柄が変動停止して、停止図柄の組合せが確定表示される。なお、図柄変動パターン等によっては、特別図柄の確定表示以前に、いわゆるリーチ状態となったり、リーチ予告、当たり予告等が行われる。そして、前記確定表示された停止図柄の組合せが、予め決められた特別図柄組合せである特定の大当たり図柄組合せ、例えば、同一の特別図柄の組合せからなる通称ぞろ目であると、大当たり状態（特別遊技状態）に移行する。大当たり状態になると、大入賞装置１５の開閉板が開いて遊技領域６表面を落下してくる遊技球を受け止め、大入賞装置１５内へ入賞可能にする。
【００２９】
ここで、リーチ状態とは、表示領域５０の左，中，右特別図柄表示部において、特別図柄の変動表示が開始された後、表示制御が進行して表示結果が停止表示される前段階において、特定の表示態様、つまり大当たり図柄の組合せ（同一図柄の組合せ）が表示されやすい可変表示態様となったと遊技者に思わせるための表示態様をいう。この実施例では、リーチ状態の１つとして、前記表示領域５０の左，中，右特別図柄表示部のうち、最終停止図柄（ここでは右特別図柄）を表示する表示部（ここでは右特別図柄表示部）だけを残して、残りの２つの表示部で図柄が特定の組合せ（例えば同一図柄）となるように仮停止するリーチ変動表示処理がなされている。
【００３０】
また、リーチ状態時には、表示領域５０における特別図柄（主に最終停止特別図柄）の変動時間を長くしたり、表示領域５０における特別図柄を利用した図柄利用演出や特別図柄の背後に表示されるキャラクタや背景等を表示してリーチアクションが演出される。なお、リーチ状態になる前に、リーチ状態になる可能性または大当たりになる可能性が高いことを報知する予告（予兆）が演出されるようにしてもよい。前記の予告としては、表示領域５０上へのキャラクタの表示や残像表示等が挙げられる。
【００３１】
遊技盤３の大入賞装置１５の背面側には、大入賞装置１５への入賞球を検出する入賞球検出スイッチが設けられている。前記各入賞口への遊技球の入賞を各検出スイッチが検出するとき、すなわち遊技における入賞条件が成立すると、賞球払出装置によって、入賞球数に応じて予め設定されている所定数の遊技球が賞品球として払い出される。開閉板は、所定時間（例えば３０秒）経過した時点で閉鎖される。これにより、遊技者はより多くの賞球を得ることができる。一連の遊技は特別遊技（大当たり遊技）であり、その状態は特別遊技状態である。
【００３２】
前記した入賞口用検出スイッチの他に遊技盤背面に設けられている装置としては、始動入賞口１０の可動片を開閉する始動入賞口用ソレノイドと、大入賞装置１５の開閉板を開閉する大入賞口開放用ソレノイド等があり、普通図柄変動開始用ゲート１９，２１には通過する遊技球を検出するゲート検出スイッチがある。
【００３３】
普通図柄変動開始スイッチでゲート１９，２１を通過する遊技球を検出することによって、普通図柄表示部における普通図柄の変動は開始する。そして、普通図柄表示部において図柄変動した後に確定表示された図柄が予め設定されている特定の図柄であった場合には、小当たり（普通図柄当たり）となり、始動入賞口用ソレノイドにより始動入賞口１０の可動片の拡開開放が後記する所定時間行われ、賞球が払い出される。普通図柄の変動を開始する回数については、現在変動中のものを除いて保留回数（この例では最高４回）を普通図柄変動数記憶領域に表示するようになっている。
【００３４】
この遊技機１は、図１〜４に示すように、移動可能な可動部材１１０と、可動部材１１０を移動させる駆動手段１３０と、駆動手段１３０を支持する支持部材１４０とを備えた可動役物１００を有する。図中の符号２Ａは図柄表示装置４３を取り付けるために遊技台２に形成された開口部である。
【００３５】
可動部材１１０は、遊技の演出を実行するための役物であって、図３〜図７に示すように、可動部材本体１１１と、該可動部材本体１１１に取り付けられ遊技盤３の盤面に対して平行なラック部１２０とを有する。実施例の可動部材本体１１１は、遊技盤３の盤面に対して平行にスライド移動することにより、表示領域５０の前面側を開閉する扉体である。図において、符号１１２は後述する支持部材１４０に架設された摺動バー、１１３は可動部材１１０上部に設けられて摺動バー１１２を把持して摺動可能な上部摺動部、１１４は遊技台２の開口部２Ａ下部側に取り付けられた摺動レール、１１５は可動部材１１０下部に設けらて摺動レール１１２を摺動可能な下部摺動部である。
【００３６】
ラック部１２０は、図６，７に示すように、可動部材１１０の上部摺動部１１３に一体に形成された板状部材１２１であり、上部に歯部１２２を有する。このラック部１２０では、板状部材１２１の前面または後面の少なくとも一方に、その移動方向に沿って凹溝部１２５が設けられる。実施例では、ラック部１２０の前面または後面のいずれか一方にその移動方向に沿って凹溝部１２５が設けられ、他方は凹溝部１２５が設けられない平面１２６に形成されている。
【００３７】
また、実施例の可動部材１１０は、図３，４，８，９に示すように、互いに接近または離隔する方向に移動可能に複数備えられた引き戸状の扉役物１１０Ａ，１１０Ｂであり、互いに接近し当接することによって表示領域５０の前面側を閉鎖し、互いに離隔することによって表示領域５０の前面側を開放する。なお、可動部材１１０Ａ，１１０Ｂの開放時は、遊技盤３の裏側に収納されて、各可動部材１１０Ａ，１１０Ｂが遊技者から視認できない状態となっている。
【００３８】
複数の可動部材１１０Ａ，１１０Ｂでは、図８，９に示すように、互いに接近方向に移動した際に各ラック部１２０Ａ，１２０Ｂが移動方向と直交する方向に重なるように構成されている。そのため、各可動部材１１０Ａ，１１０Ｂのラック部１２０Ａ，１２０Ｂが接近方向に移動した際に互いに干渉することがない。この複数の可動部材１１０Ａ，１１０Ｂにおいては、図６，７，８，１０に示すように、可動部材１１０Ａのラック部１２０Ａでは前面側に凹溝部１２５Ａが設けられるとともに後面側に平面１２６Ａが形成される一方、可動部材１１０Ｂのラック部１２０Ｂでは前面側に平面１２６Ｂが形成されるとともに後面に凹溝部１２５Ｂが設けられる。
【００３９】
駆動手段１３０は、図５〜図７に示すように、駆動源１３１と、駆動源１３１により回転動作を行いラック部１２０と噛合するピニオン部１３５とを有する。駆動源１３１は、ステッピングモータ等の公知の回転駆動装置からなる。ピニオン部１３５は、円形歯車体１３６からなり、ラック部１２０の歯部１２２と噛合することで駆動源１３１の回転力を直線方向の移動に変換するものである。また、実施例では、複数の可動部材（扉役物）１１０Ａ，１１０Ｂに対して、それぞれ個別の駆動源１３１Ａ，１３１Ｂ及びピニオン部１３５Ａ，１３５Ｂが設けられており、図８，９に示すように、駆動源１３１Ａは可動部材１１０Ａを摺動バー１１２の一端Ｅ１側から中心位置Ｍの範囲内で移動可能に回転駆動し、駆動源１３１Ｂは可動部材１１０Ｂを摺動バー１１２の他端Ｅ２側から中心位置Ｍの範囲内で移動可能に回転駆動する。なお、可動部材１１０のラック部１２０と、駆動手段１３０のピニオン部１３５とにより、いわゆるラックアンドピニオン機構が構成される。
【００４０】
支持部材１４０は、図３，６，７に示すように、遊技台２の開口部２Ａ上部側に取り付けられ、ラック部１２０の遊技盤３の面方向と直交する方向への移動を規制する規制部材１５０が設けられる。この支持部材１４０は、図６〜８，１０に示すように、ピニオン部１３５の遊技盤３の面方向と直交する方向への移動を規制する前面支持部材１４１と、後面支持部材１４５とから構成される。実施例の支持部材１４０は、前面支持部材１４１と後面支持部材１４５とをピニオン部１３５の前後面に近接配置して、ピニオン部１３５が遊技盤３の面方向と直交する方向へ移動する際に当接することによってその移動を規制する。なお、図の符号１４２は前面支持部材１４１に設けられたピニオン部１３５の前面側への移動を規制するための前面側ピニオン部規制部、１４６は後面支持部材１４５に設けられたピニオン部１３５の後面側への移動を規制するための後面側ピニオン部規制部、１４７は摺動バー１１２を保持する摺動バー保持部である。
【００４１】
規制部材１５０は、図８，１０に示すように、ラック部１２０に対して近接配置され、ラック部１２０が遊技盤３の面方向と直交する方向へ移動する際に当接することによってその移動を規制することが可能な適宜の形状からなり、ラック部１２０の前面側への移動を規制する前面規制部材１５１と後面側への移動を規制する後面規制部材１５５とを有する。前面規制部材１５１と後面規制部材１５５とにより、ラック部１２０の遊技盤３の面方向に対する前方側への移動と後方側への移動のいずれも効果的に規制することができる。なお、この規制部材１５０では、前面規制部材１５１を前面支持部材１４１に形成し、後面規制部材１５５を後面支持部材１４５に形成することにより、支持部材１４０のみでラック部１２０とピニオン部１３５の双方を規制することが可能となり、構成の簡素化を図ることができる。
【００４２】
この規制部材１５０では、図８，１０に示すように、ラック部１２０の凹溝部１２５側の前面規制部材１５１または後面規制部材１５５が凹溝部１２５内に入り込む突部１６０を有する。すなわち、凹溝部１２５がラック部１２０の前面または後面のいずれか一方にのみ形成されている場合、凹溝部１２５が形成されている側の前面規制部材１５１または後面規制部材１５５のいずれか一方にのみ突部１６０が形成され、前後両面に形成されている場合には前面規制部材１５１と後面規制部材１５５の双方に突部１６０が形成される。このように、規制部材１５０にラック部１２０の凹溝部１２５内に入り込む突部１６０が形成されることにより、ラック部１２０の上下方向の移動を規制することが可能となるとともに、突部１６０の先端部分及び前面規制部材１５１または後面規制部材１５５の凹溝部１２５を横切る部分の２点でラック部１２０の移動を規制することができるため、より効果的にラック部１２０の前後方向への移動を規制することが可能となる。
【００４３】
実施例では、図１０に示すように、ラック部１２０の凹溝部１２５側の前面規制部材１５１または後面規制部材１５５が突部１６０を有する側面視Ｌ字状に形成されているとともに、凹溝部１２５が形成されない他方側（平面１２６側）の前面規制部材１５１または後面規制部材１５５はラック部１２０の平面１２６に向かって突出した側面視Ｉ字状に形成されている。これにより、極めて簡易な構成でラック部１２０の前後及び上下方向の移動を効果的に規制することが可能となる。
【００４４】
また、規制部材１５０は、図８〜１０に示すように、複数の可動部材１１０Ａ，１１０Ｂの各ラック部１２０Ａ，１２０Ｂのそれぞれに対応して設けられるものである（１５０Ａ，１５０Ｂ）。ラック部１２０Ａに対応して設けられた規制部材１５０Ａでは、凹溝部１２５Ａ側である前面側に突部１６０Ａを有する側面視Ｌ字状の前面規制部材１５１Ａが形成され、平面１２６Ａ側である後面側に側面視Ｉ字状の後面規制部材１５５Ａが形成されている。一方、ラック部１２０Ｂに対応して設けられた規制部材１５０Ｂでは、平面１２６Ｂ側である前面側に側面視Ｉ字状の前面規制部材１５１Ｂが形成され、凹溝部１２５Ｂ側である後面側に突部１６０Ｂを有する側面視Ｌ字状の後面規制部材１５５Ｂが形成されている。
【００４５】
上記複数の規制部材１５０Ａ，１５０Ｂは、図８，９に示すように、複数の可動部材１１０Ａ，１１０Ｂが互いに接近方向に移動した際にそれぞれ対応するラック部１２０Ａ，１２０Ｂと異なる他のラック部１２０Ｂ，１２０Ａに接触しないように配置され、それぞれ対応するラック部１２０Ａ，１２０Ｂを常に遊技盤３の面方向と直交する方向への移動を規制した状態で互いに接近または離隔する方向に移動可能としている。すなわち、規制部材１５０Ａは、可動部材１１０Ａが摺動バー１１２の中心位置Ｍに移動した際のラック部１２０Ａの後端位置より中心位置Ｍ側の位置、かつ、可動部材１１０Ｂが摺動バー１１２の中心位置Ｍに移動した際のラック部１２０Ｂの先端位置より一端Ｅ１側の位置に設けられる。一方、規制部材１５０Ｂは、可動部材１１０Ｂが摺動バー１１２の中心位置Ｍに移動した際のラック部１２０Ｂの後端位置より中心位置Ｍ側の位置、かつ、可動部材１１０Ａが摺動バー１１２の中心位置Ｍに移動した際のラック部１２０Ａの先端位置より他端Ｅ２側の位置に設けられる。これにより、各ラック部１２０Ａ，１２０Ｂを対応する規制部材１５０Ａ，１５０Ｂによって常時規制することができるとともに、各ラック部１２０Ａ，１２０Ｂと対応していない他の規制部材１５０Ｂ，１５０Ａとの干渉を防止することができる。
【００４６】
以上図示し説明したように、本発明の遊技機１では、移動可能な可動部材１１０と、可動部材１１０を移動させる駆動手段１３０と、駆動手段１３０を支持する支持部材１４０とを備え、可動部材１１０は遊技盤３の盤面に対して平行なラック部１２０を有し、駆動手段１３０は、駆動源１３１と、駆動源１３１により回転動作を行いラック部１２０と噛合するピニオン部１３５とを有するとともに、支持部材１４０にはラック部１２０の遊技盤３の面方向と直交する方向への移動を規制する規制部材１５０が設けられているため、駆動手段１３０により可動部材１１０を駆動させた場合にラック部１２０とピニオン部１３５との歯車の噛み合いが解除される不具合を抑制することができる。
【００４７】
特に、規制部材１５０がラック部１２０の前面側への移動を規制する前面規制部材１５１と後面側への移動を規制する後面規制部材１５５とを有することで、ラック部１２０の遊技盤３の面方向に対する前方側への移動と後方側への移動のいずれも効果的に規制することができる。
【００４８】
また、規制部材１５０の前面規制部材１５１または後面規制部材１５５をラック部１２０の凹溝部１２５内に入り込む突部１６０を有する側面視Ｌ字状に形成し、他方側の前面規制部材１５１または後面規制部材１５５をラック部１２０の平面１２６に向かって突出した側面視Ｉ字状に形成すれば、突部１６０が凹溝部１２５内に入り込むことでラック部１２０の上下方向の移動を規制することが可能となり、極めて簡易な構成でラック部１２０の前後及び上下方向の移動を効果的に規制することが可能となるとともに、凹溝部内に入り込む突部を有する側面視Ｌ字状に形成されている前面規制部材または後面規制部材によってラック部の移動を２点で規制できるため、より効果的にラック部の前後方向への移動を規制することが可能となる。
【００４９】
さらに、互いに接近または離隔する方向に移動可能な複数の可動部材１１０Ａ，１１０Ｂを設けた場合、各可動部材１１０Ａ，１１０Ｂの各ラック部１２０Ａ，１２０Ｂのそれぞれに対応して複数の規制部材１５０Ａ，１５０Ｂが設けられ、各規制部材１５０Ａ，１５０Ｂは、各可動部材１１０Ａ，１１０Ｂが互いに接近方向に移動した際にそれぞれ対応するラック部１２０Ａ，１２０Ｂと異なる他のラック部１２０Ｂ，１２０Ａに接触しないように配置され、各ラック部１２０Ａ，１２０Ｂは、それぞれ対応する規制部材１５０Ａ，１５０Ｂにより常に遊技盤３の面方向と直交する方向への移動が規制された状態で互いに接近または離隔する方向に移動可能とされているため、各ラック部１２０Ａ，１２０Ｂを対応する規制部材１５０Ａ，１５０Ｂによって常時規制することができるとともに、各ラック部１２０Ａ，１２０Ｂと対応していない他の規制部材１５０Ｂ，１５０Ａとの干渉を防止することができる。
【００５０】
なお、本発明の遊技機は、前述の実施例のみに限定されるものではなく、発明の趣旨を逸脱しない範囲において構成の一部を適宜に変更して実施することができる。
【符号の説明】
【００５１】
１    遊技機
２    遊技台
３    遊技盤
１００    可動役物
１１０    可動部材
１２０    ラック部
１２５    凹溝部
１２６    ラック部平面
１３０    駆動手段
１３１    駆動源
１３５    ピニオン部
１４０    支持部材
１４１    前面支持部材
１４５    後面支持部材
１５０    規制部材
１５１    前面規制部材
１５５    後面規制部材
１６０    突部
【図１】
2014018281.tif 000003
【図２】
2014018281.tif 000004
【図３】
2014018281.tif 000005
【図４】
2014018281.tif 000006
【図５】
2014018281.tif 000007
【図６】
2014018281.tif 000008
【図７】
2014018281.tif 000009
【図８】
2014018281.tif 000010
【図９】
2014018281.tif 000011
【図１０】
2014018281.tif 000012